(57)【要約】  振動や設置時の荷重によりフレキシブル基板が損傷しないようにしつつ、ベゼルの幅を狭くして映像欠損部を少なくできるマルチシステム用平面ディスプレイ及び平面ディスプレイユニットを提供する。  ベゼル（４）からフレキシブル基板（１０）に振動や設置時の荷重が伝達されないようにするために、隣接する平面ディスプレイ（１）から受ける振動や設置時の荷重をベゼル（４）に伝達させることなくスペーサ（１３）を介してモジュール筐体（３）で受けるようにした。
2011013171.tif 000002
【特許請求の範囲】
【請求項１】
モジュール筐体と、このモジュール筐体の前面に配置された表示パネルと、これらモジュール筐体と表示パネルとの少なくとも周囲を覆うベゼルと、前記ベゼルの内側に設けた駆動回路と、前記駆動回路と前記表示パネルとを接続するフレキシブル基板と、前記モジュール筐体に固定され前記ベゼルから外方に突出し隣接する平面ディスプレイに当接するスペーサとを備えたことを特徴とするマルチシステム用平面ディスプレイ。
【請求項２】
前記駆動回路は前記モジュール筐体の下面に取り付けられ、前記スペーサは前記駆動回路間に設けられていることを特徴とする請求項１記載のマルチシステム用平面ディスプレイ。
【請求項３】
前記駆動回路は前記モジュール筐体の上下左右面に設けられ、前記スペーサは前記モジュール筐体の上下左右面に固定され、前記各スペーサは隣接する平面ディスプレイの対応するスペーサに当接することを特徴とする請求項１記載のマルチシステム用平面ディスプレイ。
【請求項４】
前記ベゼルは前記モジュール筐体と前記表示パネルとの周囲を覆う周壁と前記表示パネルの前面に回り込む前壁とを備え、前記駆動回路に接続されたフレキシブル基板は、前記ベゼルの前記周壁と前記モジュール筐体及び前記表示パネルとの間の収容部を経て前記ベゼルの前記前壁と前記表示パネルの前面との間で圧着部材により前記表示パネルに接続されることを特徴とする請求項１〜請求項３のいずれか一項に記載のマルチシステム用平面ディスプレイ。
【請求項５】
モジュール基板と表示パネルとを備え隣接配置される複数の平面ディスプレイと、少なくとも上下に配置される前記平面ディスプレイの前記モジュール筐体間に介装されると共にフレキシブル基板が配置される収容部を確保するスペーサとを備えたことを特徴とする平面ディスプレイユニット。
【発明の詳細な説明】
【技術分野】
【０００１】
本発明は、平面ディスプレイを複数台使用したマルチ映像システムに使用する平面ディスプレイ及び平面ディスプレイユニットの改良に関する。
【背景技術】
【０００２】
マルチ映像システムを構築するために、複数台の平面ディスプレイを並べて配置し大きな表示面積を確保している（特許文献１参照）。平面ディスプレイは、周囲に枠であるベゼルを備えている（特許文献２参照）。
このベゼルの幅が狭いほど映像欠損部が少なく、人間による主管評価的な観点（視聴者へ与えるストレス低減）だけでなく情報伝達の観点から優れている。ベゼルの内側にはフレキシブル基板上及び駆動回路が平面ディスプレイ端面に配置されている。
【先行技術文献】
【特許文献】
【０００３】
【特許文献１】特開２００５−３３１８３４号公報
【特許文献２】特開２００７−２６３９９９号公報
【発明の概要】
【発明が解決しようとする課題】
【０００４】
発明が解決しようとする課題は、平面ディスプレイを複数配置した場合に、隣接する平面ディスプレイから受ける振動や設置時の荷重がベゼルを介してフレキシブル基板に作用してフレキシブル基板が損傷することである。これを防止するために、ベゼルの幅を広くしてフレキシブル基板に対するベゼルの緩衝作用を発揮させるようにすると、映像欠損部が多くなり視聴者に与えるストレスが増加し、伝達情報量が減少してしまう。
【課題を解決するための手段】
【０００５】
本発明は、モジュール筐体と、このモジュール筐体の前面に配置された表示パネルと、これらモジュール筐体と表示パネルとの少なくとも周囲を覆うベゼルと、前記ベゼルの内側に設けた駆動回路と、前記駆動回路と前記表示パネルとを接続するフレキシブル基板と、前記モジュール筐体に固定され前記ベゼルから外方に突出し隣接する平面ディスプレイに当接するスペーサとを備えたことを特徴とする。【０００６】
また、本発明は、モジュール基板と表示パネルとを備え上下左右に隣接配置される複数の平面ディスプレイと、少なくとも上下に配置される前記平面ディスプレイの前記モジュール筐体間に介装されると共にフレキシブル基板が配置される収容部を確保するスペーサとを備えたことを特徴とする。
【発明の効果】
【０００７】
本発明のマルチシステム用平面ディスプレイは、隣接する平面ディスプレイから受ける振動や設置時の荷重を一方あるいは双方に設けたスペーサで受けてモジュール筐体によって支持することにより、隣接する平面ディスプレイから受ける振動や設置時の荷重がベゼルに作用せず、ベゼルからフレキシブル基板に振動や設置時の荷重が伝達されずフレキシブル基板を破損させることがない。よって、ベゼルの幅を狭くすることができ、平面ディスプレイを複数配列した場合の映像欠損部が少なく、視聴者へ与えるストレスを低減できると共に伝達情報量を増加することができる。
【図面の簡単な説明】
【０００８】
【図１】この発明の第１実施形態のマルチシステム用平面ディスプレイの斜視図である。
【図２】図１のＢ部拡大図である。
【図３】図１のＡ−Ａ線に沿う断面図である。
【図４】複数列、複数段に第１実施形態の平面ディスプレイを配列した平面ディスプレイユニットの正面図である。
【図５】第２実施形態のマルチシステム用平面ディスプレイの正面図である（実施例２）。
【図６】複数列、複数段に第２実施形態の平面ディスプレイを配列した平面ディスプレイユニットの正面図である。
【発明を実施するための形態】
【０００９】
ベゼルからフレキシブル基板に振動や設置時の荷重が伝達されないようにするために、隣接する平面ディスプレイから受ける振動や設置時の荷重をスペーサを介してモジュール筐体で受けるようにした。
【００１０】
次に、この発明の第１実施形態を図面と共に説明する。図１は第１実施形態のマルチシステム用平面ディスプレイの斜視図、図２は図１のＢ部拡大図、図３は図１のＡ−Ａ線に沿う断面図である。
【００１１】
図１〜図３に示すように平面ディスプレイ１は、モジュール筐体３とこのモジュール筐体３の前面に配置された液晶パネル（表示パネル）２とを重ね合わせた構造体である。液晶パネル２とモジュール筐体３の周囲及び液晶パネル２の前面６の周縁はベゼル４（図４には鎖線のみで示す）によって覆われている。ベゼル４は断面がＬ型に形成された金属製の枠状部材（分割構造であってもよい）であって、液晶パネル２とモジュール筐体３の周囲を覆う周壁５と液晶パネル２の前面６の周縁に回り込む前壁７とで構成されている。
【００１２】
モジュール筐体３は、電源や映像処理回路を備え、映像処理回路が出力する信号に基づいて液晶パネル２を駆動する後述する駆動回路９に送る信号の生成を行う。
モジュール筐体３の下面８は液晶パネル２の下面１１よりも低く形成され、ベゼル４の内側であって下面８に液晶パネル２の駆動回路９が幅方向で間隔をおいて複数個取り付けられている。駆動回路９はモジュール筐体３の奥行き方向の幅を有している。駆動回路９にはフレキシブル基板１０の端部が接続されている。フレキシブル基板１０の他端は、液晶パネル２の下面１１から液晶パネル２の前面６に湾曲して回り込みベゼル４の前壁７の裏側と液晶パネル２の前面６との間に挟持された圧着部材１２により圧力を加えた状態で液晶パネル２に電気的に接続されている。ここで、ベゼル４は圧着部材１２によって液晶パネル２に固定されているが、ベゼル４の周壁５もモジュール筐体３や液晶パネル２の上部や側部の必要な部位で固定されている。
【００１３】
モジュール筐体３の下面８には駆動回路９の配置部位間にスペーサ１３が設けられている。スペーサ１３はモジュール筐体３の下面８に強固に固定され、その先端部はベゼル４の周壁５を貫通してベゼル４の周壁５からわずかに下方に突出する突出部１４を備えている。この突出部１４が下側に隣接する平面ディスプレイ１のモジュール筐体３の上面１５、厳密には上面１５を覆うベゼル４の周壁５に当接支持される。ここで、ベゼル４の周壁５の貫通部分でスペーサ１３はベゼル４に固定されている。
【００１４】
したがって、スペーサ１３の突出部１４に当接する下側に隣接する平面ディスプレイ１のモジュール筐体３の上面１５と、スペーサ１３が取り付けられた上側の平面ディスプレイ１のモジュール筐体３の下面８との間には、フレキシブル基板１０が配置される収容部１６が確保される。モジュール筐体３とベゼル４の周壁５との間は１ｍｍ以下に設定されている。
【００１５】
このように構成された平面ディスプレイ１を図４に示すように複数列、複数段互いに上下左右に隣接配置して並べることにより平面ディスプレイユニットＵが形成され、大画面で映像を表示することができる。ここで、上側の平面ディスプレイ１のモジュール筐体３の下面８にはスペーサ１３が強固に固定され、このスペーサ１３を介して下側に隣接する平面ディスプレイ１からの反力を上側の平面ディスプレイ１のモジュール筐体３が受け、上側の平面ディスプレイ１のベゼル４には振動や設置時の荷重は作用しない。尚、図４では図示都合上ベゼル４の前壁７の幅を実際の尺度より広くして示している。
【００１６】
上記実施形態によれば、平面ディスプレイ１が、下側に隣接配置された他の平面ディスプレイ１から振動や設置時に荷重を受けても、この振動や荷重は平面ディスプレイ１のモジュール筐体３には作用するがベゼル４には作用しないため、収容部１６内に収まっているフレキシブル基板１０がベゼル４の変形が原因でモジュール筐体３に接触して配線が断線したり接触部分が離れたりして損傷することはない。  
したがって、振動や設置時の荷重が原因でベゼル４が変形せず、ベゼル４にフレキシブル基板１０に対する緩衝機能が必要なくなり、ベゼル４の前壁７の幅ｄ（図２参照）を狭くすることができるので、平面ディスプレイユニットＵにおける映像欠損部をできるだけ少なくして視聴者に与えるストレスを低減できる。また、ベゼル４の前壁７の幅ｄを狭くすることができるため、その分だけ液晶パネル２に表示される伝達情報量を増加することができる。
また、経年的に作用する応力によるフレキシブル基板１０の断線、圧着部材１２における絶縁不良などの不具合の発生を無くして信頼性を高めることができる。
【００１７】
勿論、平面ディスプレイ１を単体で搬送する場合や製造時において取り扱う場合にも、モジュール筐体３の下面８にスペーサ１３が強固に固定されているため、床面に載置した場合にスペーサ１３の突出部１４が接地してベゼル４には床面からの荷重は作用しない。その結果、ベゼル４が変形してフレキシブル基板１０を破損させることはない。これにより平面ディスプレイユニットＵとして設置する前の段階でもフレキシブル基板１０を保護することができる。
【００１８】
次に、この発明の第２実施形態を図５、図６に基づき第１実施形態と同一部分に同一符号を付して説明する。尚、説明にあたっては図３を援用する。
図５は第２実施形態の平面ディスプレイの正面図、図６は第２実施形態の平面ディスプレイユニットの正面図である。ここで、図６では図示都合上ベゼル４の前壁７の幅を実際の尺度より広くして示している。
【００１９】
この第２実施形態において、図５に示す平面ディスプレイ１’が、モジュール筐体３とこのモジュール筐体３の前面に配置された液晶パネル（表示パネル）２とを重ね合わせた構造体であり、液晶パネル２とモジュール筐体３の周囲及び液晶パネル２の前面６の周縁はベゼル４（鎖線で示す）によって覆われている点、ベゼル４は断面がＬ型に形成された金属製の枠状部材（分割構造であってもよい）であって、液晶パネル２とモジュール筐体３の周囲を覆う周壁５と液晶パネル２の前面６の周縁に回り込む前壁７とで構成されている点などの基本的構造は前述した第１実施形態と同様である。
【００２０】
ここで、援用する図３に示すように、モジュール筐体３の上下左右面８’，８’，８’，８’には駆動回路９が２個（１個でも３個以上でもよい）取り付けられている。駆動回路９には第１実施形態と同様の構成でフレキシブル基板１０の端部が接続され、フレキシブル基板１０の他端は、液晶パネル２の上下左右面１１の各々から液晶パネル２の前面６に湾曲して回り込みベゼル４の前壁７の裏側と液晶パネル２の前面６との間に挟持された圧着部材１２により圧力を加えた状態で液晶パネル２に電気的に接続されている。ここで、ベゼル４は圧着部材１２によって液晶パネル２に固定されている。
【００２１】
モジュール筐体３の上下左右面８’，８’，８’，８’には駆動回路９，９の配置部位間にスペーサ１３が設けられている。スペーサ１３はモジュール筐体３の各上下左右面８に強固に固定され、その先端部はベゼル４の周壁５を貫通してベゼル４の周壁５からわずかに外方に突出する突出部１４を備えている。この突出部１４が上下左右に隣接する平面ディスプレイ１’のモジュール筐体３に取り付けられた同様の構成のスペーサ１３の突出部１４に当接支持される。ここで、ベゼル４の周壁５の貫通部分でスペーサ１３はベゼル４に固定されている。
【００２２】
このように構成された平面ディスプレイ１’を図６に示すように複数列、複数段互いに上下左右に隣接配置して並べることにより形成された平面ディスプレイユニットＵ’は、隣接する各平面ディスプレイ１’が各スペーサ１３の突出部１４同士で当接して、当接するスペーサ１３同士により離間されたモジュール筐体３間には、各ベゼル４の内側にフレキシブル基板１０が配置される収容部１６が確保される。
【００２３】
したがって、平面ディスプレイユニットＵ’は、各平面ディスプレイ１’が互いに他から受ける振動や設置時の荷重を一対のスペーサ１３，１３を介してモジュール筐体３で受けることができるため、各平面ディスプレイ１’のベゼル４には振動や設置時の荷重は作用しない。
【００２４】
よって、この実施形態においても、フレキシブル基板１０がベゼル４の変形が原因でモジュール筐体３に接触して配線が断線したり接触部分が離れたりして損傷することはない。  
したがって、振動や設置時の荷重が原因でベゼル４が変形せず、ベゼル４にフレキシブル基板１０に対する緩衝機能が必要なくなり、ベゼル４の前壁７の幅を狭くすることができるので、平面ディスプレイユニットＵ’における映像欠損部をできるだけ少なくして視聴者に与えるストレスを低減できる。また、ベゼル４の前壁７の幅を狭くすることができるため、その分だけ液晶パネル２に表示される伝達情報量を増加することができる。
また、経年的に作用する応力によるフレキシブル基板１０の断線、圧着部材１２における絶縁不良などの不具合の発生を無くして信頼性を高めることができる。
【００２５】
第１実施形態と同様に、平面ディスプレイ１’を単体で搬送する場合や製造時において取り扱う場合にも、モジュール筐体３の上下左右面８’，８’，８’，８’にスペーサ１３が強固に固定されているため、その面を床面に載置した場合でもスペーサ１３の突出部１４が接地してベゼル４には床面からの荷重は作用しないので、ベゼル４が変形してフレキシブル基板１０を破損させることはない。これにより平面ディスプレイユニットＵ’として設置する前の段階でもフレキシブル基板１０を保護することができる。
【００２６】
この発明は、上記実施形態に限られるものではなく、例えば、第１実施形態において、フレキシブル基板１０とスペーサ１３を平面ディスプレイ１の上面に設ける場合にも適用でき、フレキシブル基板１０が平面ディスプレイ１の左右面に設けられている場合に、スペーサを平面ディスプレイ１の左右面に設けるようにしてもよい。
また、第２実施形態において、平面ディスプレイ１’の上下左右面に設けたスペーサ１３の個数は１つずつに限られない。
更に、この実施形態では平面ディスプレイの一例として液晶パネルを備えたものを例にしたが、液晶以外の有機ＥＬディスプレイ、プラズマディスプレイなどの他の形式の平面ディスプレイにも適用可能である。
【産業上の利用可能性】
【００２７】
この出願に発明に係るマルチシステム用平面ディスプレイ及び平面ディスプレイユニットは、映像表示技術産業における平面ディスプレイのフレキシブル基板保護技術及び表示情報量増加技術に利用可能である。
【符号の説明】
【００２８】
１、１’  平面ディスプレイ
２    液晶パネル（表示パネル）
３    モジュール筐体
４    ベゼル
５    周壁
６    前面
７    前壁
８    下面
８’上下左右面
９  駆動回路
１０  フレキシブル基板
１３  スペーサ
１６  収容部
Ｕ、Ｕ’  平面ディスプレイユニット
【図１】
2011013171.tif 000003
【図２】
2011013171.tif 000004
【図３】
2011013171.tif 000005
【図４】
2011013171.tif 000006
【図５】
2011013171.tif 000007
【図６】
2011013171.tif 000008
【手続補正書】
【提出日】平成24年9月7日(2012.9.7)
【手続補正１】
【補正対象書類名】特許請求の範囲
【補正対象項目名】全文
【補正方法】変更
【補正の内容】
【特許請求の範囲】
【請求項１】
モジュール筐体と、このモジュール筐体の前面に配置された表示パネルと、これらモジュール筐体と表示パネルとの少なくとも周囲を覆うベゼルと、前記ベゼルの内側に設けた駆動回路と、前記駆動回路と前記表示パネルとを接続するフレキシブル基板と、前記モジュール筐体に固定され前記ベゼルから外方に突出し隣接する平面ディスプレイに当接するスペーサとを備えたことを特徴とするマルチシステム用平面ディスプレイ。
【請求項２】
前記駆動回路は前記モジュール筐体の下面に取り付けられ、前記スペーサは前記駆動回路間に設けられていることを特徴とする請求項１記載のマルチシステム用平面ディスプレイ。
【請求項３】
前記駆動回路は前記モジュール筐体の上下左右面に設けられ、前記スペーサは前記モジュール筐体の上下左右面に固定され、前記各スペーサは隣接する平面ディスプレイの対応するスペーサに当接することを特徴とする請求項１記載のマルチシステム用平面ディスプレイ。
【請求項４】
前記ベゼルは前記モジュール筐体と前記表示パネルとの周囲を覆う周壁と前記表示パネルの前面に回り込む前壁とを備え、前記駆動回路に接続されたフレキシブル基板は、前記ベゼルの前記周壁と前記モジュール筐体及び前記表示パネルとの間の収容部を経て前記ベゼルの前記前壁と前記表示パネルの前面との間で圧着部材により前記表示パネルに接続されることを特徴とする請求項１〜請求項３のいずれか一項に記載のマルチシステム用平面ディスプレイ。
【請求項５】
モジュール筐体と表示パネルとこれらモジュール筐体と表示パネルとの少なくとも周囲を覆うベゼルとを備え隣接配置される複数の平面ディスプレイと、少なくとも上下に配置される前記平面ディスプレイの前記モジュール筐体間に介装されると共にフレキシブル基板が配置される収容部を確保するスペーサとを備え、このスペーサが前記ベゼルを貫通して設けられていることを特徴とする平面ディスプレイユニット。
【手続補正２】
【補正対象書類名】明細書
【補正対象項目名】０００９
【補正方法】削除
【補正の内容】
【国際調査報告】
2011013171.tif 000009
2011013171.tif 000010
2011013171.tif 000011
2011013171.tif 000012